(57)【要約】【課題】エレベータの換気装置に設けたロック用ソレノイドの温度上昇を抑制する。【解決手段】乗りかご室の内部の気圧を制御する機能を有するエレベータであって、乗りかご室の換気のために開閉可能に設けられた換気窓開閉部材と、換気窓開閉部材が閉扉する位置を設定するストッパーと、閉扉した換気窓開閉部材をロックするロック軸と、ロック軸を動作するロック用ソレノイドと、断電時にロック用ソレノイドのロック軸を後退させる非ロック用弾性体と、ロック用ソレノイドを覆うソレノイドカバーと、を備え、ロック用ソレノイドを冷却するために乗りかご室の内部の空気を供給する空気流入口を有し、ソレノイドカバーは、空気流入口からの空気を排出する空気流出口と、空気流出口の開閉をする弁と、を有する。【選択図】図３
2017178540.tif 000002
【特許請求の範囲】
【請求項１】
乗りかご室の内部の気圧を制御する機能を有するエレベータであって、
前記乗りかご室の換気のために開閉可能に設けられた換気窓開閉部材と、
前記換気窓開閉部材が閉扉する位置を設定するストッパーと、
閉扉した前記換気窓開閉部材をロックするロック軸と、
前記ロック軸を動作するロック用ソレノイドと、
断電時に前記ロック用ソレノイドの前記ロック軸を後退させる非ロック用弾性体と、
前記ロック用ソレノイドを覆うソレノイドカバーと、を備え、
前記ロック用ソレノイドを冷却するために前記乗りかご室の内部の空気を供給する空気流入口を有し、
前記ソレノイドカバーは、前記空気流入口からの前記空気を排出する空気流出口と、前記空気流出口の開閉をする弁と、を有する、エレベータ。
【請求項２】
さらに、前記弁と前記ソレノイドカバーとを接続するひんじを有し、
前記弁は、前記ひんじを軸として、前記空気流出口が閉じた状態から４５度未満の角度で開くように構成されている、請求項１記載のエレベータ。
【請求項３】
前記空気流入口は、前記空気流入口を通過した空気が前記ロック用ソレノイドのコア部に直接当たるように配置されている、請求項１記載のエレベータ。
【請求項４】
さらに、前記ロック用ソレノイド及び前記ソレノイドカバーを固定したパネルを有し、
前記空気流入口は、前記パネルに設けられている、請求項１記載のエレベータ。
【請求項５】
さらに、前記乗りかご室に付設された分流室を備え、
前記分流室には、前記換気窓開閉部材が配置されている、請求項１記載のエレベータ。
【請求項６】
前記分流室は、前記乗りかご室の上部に配置されている、請求項５記載のエレベータ。
【請求項７】
さらに、前記乗りかご室の内部及び外部の気圧をそれぞれ測定する気圧センサを有し、
前記乗りかご室の内部の気圧が前記乗りかご室の外部の気圧よりも低い場合には、前記ロック用ソレノイドへの給電を停止する、請求項１〜６のいずれか一項に記載のエレベータ。
【請求項８】
エレベータの乗りかご室の内部の気圧を制御する換気装置であって、
前記乗りかご室の換気のために開閉可能に設けられた換気窓開閉部材と、
前記換気窓開閉部材が閉扉する位置を設定するストッパーと、
閉扉した前記換気窓開閉部材をロックするロック軸と、
前記ロック軸を動作するロック用ソレノイドと、
断電時に前記ロック用ソレノイドの前記ロック軸を後退させる非ロック用弾性体と、
前記ロック用ソレノイドを覆うソレノイドカバーと、
前記ロック用ソレノイド及び前記ソレノイドカバーを固定したパネルと、を備え、
前記パネルは、前記ロック用ソレノイドを冷却するために前記乗りかご室の内部の空気を供給する空気流入口を有し、
前記ソレノイドカバーは、前記空気流入口からの前記空気を排出する空気流出口と、前記空気流出口の開閉をする弁と、を有する、エレベータの換気装置。
【発明の詳細な説明】
【技術分野】
【０００１】
本発明は、エレベータ及びその換気装置に係り、特に、乗りかご室内部の気圧を制御する気圧制御装置を備えたエレベータ及びその換気装置に関する。
【背景技術】
【０００２】
近年、建物の高層化に伴い、エレベータの高速化が要求されている。このような高速のエレベータでは、単位時間での気圧変化が激しく、また、トータルの気圧変化量が大きく、乗客が、大きな気圧変動に伴い、耳閉感を感じる場合が多い。
【０００３】
この耳閉感を軽減するために、乗りかご室の外部の気圧に応じて乗りかご室の内部の気圧を制御する気圧制御装置が提案されている。
【０００４】
しかし、乗りかご室の気密性を高めると、その反面、乗りかご室自体が気密性の高い構造となっているので、停電などの非常時は、乗りかご室の換気ができなくなるおそれがある。
【０００５】
このような停電時に換気窓の自動開扉をする技術の例として、特許文献１には、常時はロック用ソレノイドにより換気窓を閉塞状態にロックする機構を有し、断電時にロック用ソレノイドの軸を後退させる非ロック用弾性材を備えたエレベータ換気装置が開示されている。
【先行技術文献】
【特許文献】
【０００６】
【特許文献１】特開２０１１−０５７４１４号公報
【発明の概要】
【発明が解決しようとする課題】
【０００７】
特許文献１に記載されているエレベータ換気装置においては、常時はロック用ソレノイドに電気が供給され続けるため、ソレノイドの温度上昇が大きくなる。ソレノイドの温度が高い状態が続くと、ソレノイド及びその周辺に配置された部品の劣化が進むおそれがある。
【０００８】
本発明は、このような従来技術の実状に鑑みてなされたものであり、その目的は、エレベータの換気装置に設けたロック用ソレノイドの温度上昇を抑制することにある。
【課題を解決するための手段】
【０００９】
前記目的を達成するために、本発明は、乗りかご室の内部の気圧を制御する機能を有するエレベータであって、乗りかご室の換気のために開閉可能に設けられた換気窓開閉部材と、換気窓開閉部材が閉扉する位置を設定するストッパーと、閉扉した換気窓開閉部材をロックするロック軸と、ロック軸を動作するロック用ソレノイドと、断電時にロック用ソレノイドのロック軸を後退させる非ロック用弾性体と、ロック用ソレノイドを覆うソレノイドカバーと、を備え、ロック用ソレノイドを冷却するために乗りかご室の内部の空気を供給する空気流入口を有し、ソレノイドカバーは、空気流入口からの空気を排出する空気流出口と、空気流出口の開閉をする弁と、を有する。
【発明の効果】
【００１０】
本発明によれば、エレベータの換気装置に設けたロック用ソレノイドの温度上昇を抑制することができる。
【図面の簡単な説明】
【００１１】
【図１】実施例のエレベータを示す概略斜視図である。
【図２】実施例のエレベータ換気装置の扉開状態を示す上面図である。
【図３】実施例のエレベータ換気装置の扉閉状態を示す上面図である。
【発明を実施するための形態】
【００１２】
以下、本発明の実施形態に係るエレベータ及びその換気装置について説明する。
【００１３】
図１は、エレベータ及びその換気装置の位置関係の例を示したものである。
【００１４】
本図において、エレベータの昇降路１内部に設置された乗りかご室２の上部には、エレベータの換気装置を固定するための分流室３が設置されている。また、図示していないが、空気を送り出すブロワおよび、ブロワと分流室３とを繋ぐダクト４によって、乗りかご室２内部の気圧を変化させることができるようになっている。分流室３の側面には、換気窓開閉部材６（換気窓開閉扉）を有する側面パネル２０が設置されている。換気窓開閉部材６を動作することにより、換気用開口部５を開閉するようになっている。
【００１５】
昇降路１内部の気圧及び乗りかご室２内部の気圧はそれぞれ、適切な位置に設置された気圧センサにより常時又は定期的に検出され、その信号が機械室７に設置された制御盤８に送られる。この信号を利用して制御盤８から指令が出され、乗りかご室２内部の気圧が適宜調整されるようになっている。このとき、昇降路１内部の空気は、ダクト４及び分流室３を通じて、乗りかご室２内部に吸引され、又は排出される。
【００１６】
エレベータの換気装置は、給電が断たれる非常時（断電時）には、換気窓開閉部材６を開扉状態にすることで換気用開口部５を開放し、乗りかご室２の換気を行う。したがって、換気用開口部５の設置位置を乗りかご室２上部に限定する必要はなく、乗りかご室２壁面であればどこでもよい。
【実施例１】
【００１７】
図２は、エレベータ換気装置を示したものである。本図においては、エレベータ換気装置の開扉状態を示している。
【００１８】
本図において、側面パネル２０には、給電が断たれる非常時（断電時）に乗りかご室２の通風口となる換気用開口部５を開閉する構成として、換気用開口部５を開閉する換気窓開閉部材６と、換気窓開閉部材６を閉扉するための閉用ソレノイド９と、閉用ソレノイド９を側面パネル２０に固定する閉用ソレノイド筐体１０と、閉用ソレノイド９に設けられその引力のオン・オフにより移動する開閉軸１１と、開閉軸１１と換気窓開閉部材６を連動させるリンク機構１２と、が設けられている。
【００１９】
また、換気用開口部５において閉用ソレノイド９が設けられている部位に対向する縁部には、換気窓開閉部材６による閉塞状態（閉扉状態）を支持するためのストッパー２１と、換気用開口部５の換気窓開閉部材６による閉塞状態（閉扉状態）をロックするためのロック用ソレノイド１３と、ロック用ソレノイド１３を側面パネルに固定するロック用ソレノイド筐体１４と、ロック用ソレノイド１３の操作に連動するロック軸１５と、ロック軸１５を収納するための圧縮ばね１６（非ロック用弾性体）と、ロック用ソレノイド１３とロック用ソレノイド筐体１４と圧縮ばね１６とを覆うソレノイドカバー１７と、が設けられている。
【００２０】
ロック軸１５は、ロック用ソレノイド１３に通電することにより発生する磁力を用いて換気窓開閉部材６のロック（電磁誘導のオン）をし、かつ、ロック用ソレノイド１３への通電の遮断（電磁誘導のオフ）をすることによりロックを解除して非ロック位置に復帰する機能を有する。圧縮ばね１６は、ロック軸１５を非ロック位置の方向に付勢して換気窓開閉部材６を非ロックとする。
【００２１】
本図においては、換気窓開閉部材６は開かれ、ロック軸１５は収納されている。
【００２２】
ロック用ソレノイド１３は、ロック軸１５に接続されたフランジ１３１と、通電時に電磁力を発生させフランジ１３１を吸引するコア１３２（コア部）と、で構成されている。ソレノイドカバー１７の内側の側面パネル２０には、空気流入口２２が設けられている。ソレノイドカバー１７には、空気流入口２２から流入した空気を昇降路側に流出させる空気流出口１８と、空気流出口１８を開閉する弁１９と、が設けられている。空気流入口２２は、通電時に発熱するため高温度となるコア１３２に分流室３の空気を吹き付けるためのものであり、これにより、コア１３２を冷却する。弁１９は、ソレノイドカバー１７に塵埃等が侵入することを防止する機能を有する。
【００２３】
コア１３２の温度上昇を抑制するためには、コア１３２に直接気流を当てること、又はコア１３２に接触する空気の流速が速いことが効果的である。よって、空気流入口２２は、コア１３２の近傍に設けることが望ましい。また、空気流入口を通過した空気は、コア１３２に直接当たるように配置されていることが望ましい。
【００２４】
本実施例においては、換気窓開閉部材６は、一辺が約３００ｍｍの矩形状である。また、空気流入口２２は、一辺が約３ｍｍの矩形状の穴である。空気流入口２２は、寸法が小さい方が、気流が速くなるため効果的である。なお、これらの寸法は、実施例に限定されるものではなく、本発明の所望の効果を得られるものであれば、任意の形状、寸法等を選択可能である。
【００２５】
図３は、図２の換気窓開閉部材６が閉扉となった状態を示したものである。この状態では、閉用ソレノイド９に電気が供給されている。
【００２６】
本図においては、換気窓開閉部材６は、閉じられ、ロック軸１５により開かないように固定されている。このようにすることにより、昇降路１内部の空気が乗りかご室２内部に流れ込まないようにしている。
【００２７】
ここで、コア１３２を冷却するための操作について更に説明する。
【００２８】
乗りかご室２内部の気密性を保つため、通常時は、換気窓開閉部材６が閉扉状態となっている。その閉扉状態をロックするために、ロック用ソレノイド１３も通常時は通電状態となっている。
【００２９】
ソレノイドカバー１７内部と乗りかご室２内部とは、空気流入口２２を通じて繋がっているため、それぞれの気圧は等しくなっている。よって、気圧制御によって乗りかご室２内部の気圧が、昇降路１内部の気圧よりも高い場合、ソレノイドカバー１７内部の気圧も同様に、昇降路１内部の気圧よりも高くなっている。
【００３０】
その時、ソレノイドカバー１７に設けられた弁１９は、ソレノイドカバー１７内部と昇降路１内部の気圧差によって、ソレノイドカバー１７の外側に押し出される方向への力を受けるため、弁１９が開く。これにより、空気流出口１８が開放され、ソレノイドカバー１７内部に気流が生じる。その結果、空気流入口２２から流入する空気は、ロック用ソレノイド１３に噴射され、ロック用ソレノイド１３の空冷に利用される。
【００３１】
なお、弁１９は、ひんじ１９１（蝶番）によって空気流出口１８の閉状態から最大でも４５度以上には開かないように調整してある。すなわち、最大でも４５度未満とする。これにより、乗りかご室２内部の気圧が昇降路１内部の気圧よりも低い場合は、弁１９にかかる閉方向への面圧の方が、開方向への面圧より大きくなる。これに加えて、閉方向への面圧がかかる面積は、開方向への面圧がかかる面積よりも大きいため、弁１９を閉じる力の方が、開く力よりも大きくなり、弁１９は閉状態となる。言い換えると、ひんじ１９１の開き角が４５度未満の場合、昇降路１内部の気圧が乗りかご室２内部（ソレノイドカバー１７内部）の気圧以上であれば、弁１９が閉じる方向の力の方が、弁１９が開く方向の力よりも大きくなる傾向があるため、弁１９の開閉のための操作をしなくても、弁１９が閉じる。
【００３２】
上述の構成により、ソレノイドカバー１７内部に気流を生じさせることができ、ロック用ソレノイド１３の過熱を防止することができる。
【実施例２】
【００３３】
図２及び３に基いて説明する。
【００３４】
気圧制御の結果、乗りかご室２内部の気圧が昇降路１内部の気圧よりも低くなっている場合、換気窓開閉部材６は、気圧差によって換気用開口部５に押し付けられる方向に力を受けている。換気窓開閉部材６は、ストッパー２１に支持されているため、ロック用ソレノイド１３で換気窓開閉部材６をロックする必要がない。
【００３５】
本実施例は、これを利用して、ロック用ソレノイド１３への給電を停止する制御を行うものである。
【００３６】
昇降路１内部の気圧及び乗りかご室２内部の気圧はそれぞれ、適切な位置に設置された気圧センサにより常時又は定期的に検出され、その信号が機械室７に設置された制御盤８に送られる。この信号を利用して制御盤８から指令が出され、乗りかご室２内部の気圧が適宜調整されるようになっている。このとき、昇降路１内部の空気は、ダクト４及び分流室３を通じて、乗りかご室２内部に吸引され、又は排出される。
【００３７】
上述のように、乗りかご室２内部の気圧が昇降路１内部（乗りかご室２の外部）の気圧よりも低くなっている場合、換気窓開閉部材６は、気圧差によって換気用開口部５に押し付けられる方向に力を受けているため、ロック用ソレノイド１３に通電する必要がない。すなわち、気圧センサからの信号に基いて、昇降路１内部と乗りかご室２内部との気圧差を算出し、乗りかご室２内部の気圧が昇降路１内部の気圧よりも低くなっている場合には、ロック用ソレノイド１３への給電を停止する指令を出すことが可能である。すなわち、ロック用ソレノイド１３への給電と断電とを繰り返す。
【００３８】
これにより、ロック用ソレノイド１３への給電を間欠的に行うことができ、余分な通電を抑制できるため、ロック用ソレノイド１３の発熱量を低減することができる。
【符号の説明】
【００３９】
１：昇降路、２：乗りかご室、３：分流室、４：ダクト、５：換気用開口部、６：換気用開閉部材、７：機械室、８：制御盤、９：閉用ソレノイド、１０：閉用ソレノイド筐体、１１：開閉軸、１２：リンク機構、１３：ロック用ソレノイド、１４：ロック用ソレノイド筐体、１５：ロック軸、１６：圧縮ばね、１７：ソレノイドカバー、１８：空気流出口、１９：弁、２０：側面パネル、２１：ストッパー、２２：空気流入口、１３１：フランジ、１３２：コア、１９１：ひんじ。
【図１】
2017178540.tif 000003
【図２】
2017178540.tif 000004
【図３】
2017178540.tif 000005